(57)【要約】【課題】ルーズリーフから１教科分等の任意の部分を取り出すことのできるファイルを提供する。【解決手段】ノートとしてまとめたいルーズリーフをそれぞれの綴じ具２でまとめ、綴じ具２を一つの表紙体１に横並びに取り付けてまとめることで数種類の項目のルーズリーフを一つにまとめる。【選択図】図１
2019155896.tif 000002
【特許請求の範囲】
【請求項１】
表紙体（１）と
前記表紙体（１）の上に取り付けられた複数の綴じ具（２）を有するファイルであって
前記綴じ具（２）は、
リング部分（３）と
前記リング部分（３）を支えるリング台座部分（４）と
リング台座部分（４）に取り付けられた着脱機構部分（５）を備え、
前記着脱機構部分（５）は、前記表紙体（１）に対して前記綴じ具（２）を着脱式としていることを特徴とするファイル。
【請求項２】
前記着脱機構部分（５）は、スライド機構を備え、スライド機構によってスライド式に前記表紙体（１）に対して前記綴じ具（２）を着脱式としていることを特徴とする請求項１に記載のファイル。
【請求項３】
前記着脱機構部分（５）は、互いに平行に並びあう位置で取り付けられることを特徴とする請求項１または２に記載のファイル。
【請求項４】
前記着脱機構部分（５）は、ロック機構によって表紙体（１）に固定されることを特徴とする請求項１から３のいずれかに記載のファイル。
【請求項５】
表紙体（１）上部に複数取り付け可能な綴じ具（２）であって、
リング部分（３）と
前記リング部分（３）を支えるリング台座部分（４）と
リング台座部分（４）に取り付けられた着脱機構部分（５）を備え、
前記着脱機構部分（５）は、表紙体（１）に対して綴じ具（２）を着脱式としていることを特徴とする綴じ具（２）。
【発明の詳細な説明】
【技術分野】
【０００１】  本発明は、綴じ具を取り外し、付け替えることが可能なルーズリーフバインダーのようなファイル及び綴じ具に関する。
【背景技術】
【０００２】  紙をまとめた通常のノートは、例えば学校等の教育で用いる場合、一般的には、１科目で一冊を使い切るという方法で使われている。一方、ルーズリーフを用いてノートを作成する場合は、表裏２ページに付き１枚使用するという方法でノートを取り、このようなルーズリーフを複数枚、インデックスを用いて教科ごとに分けて、一つのルーズリーフバインダーにまとめて綴じていく。【０００３】  しかしながら、このルーズリーフバインダーでは、まとめられたルーズリーフから１教科分のルーズリーフを取り出すには、ほかのバインダーを別途用意して、そこにバラバラにならないようにしながら移し替えなければならなかった。特に、複数の教科を一つのルーズリーフバインダーに綴じている場合は、教科の数だけルーズリーフバインダーを用意しなければならず、不便であった。
【先行技術文献】
【特許文献】
【０００４】
【特許文献１】特開２００５−２７１２７７号公報
【発明の概要】
【発明が解決しようとする課題】
【０００５】  本発明の目的は、ルーズリーフから１教科分等の任意の部分を取り出すことのできるファイルを提供することにある。
【課題を解決するための手段】
【０００６】  本発明の請求項１に係るファイルは、表紙体１と前記表紙体の上に取り付けられた複数の綴じ具２を有するファイルであって、前記綴じ具は、リング部分３と、前記リング部分を支えるリング台座部分４と、リング台座部分に取り付けられた着脱機構部分５を備え、前記着脱機構部分５は、前記表紙体１に対して前記綴じ具２を着脱式としていることを特徴とする。
また本発明の請求項２に係るファイルは、前記着脱機構部分が、スライド機構を備え、スライド機構によってスライド式に前記表紙体に対して前記綴じ具を着脱式としていることを特徴とする。
さらに本発明の請求項３に係るファイルは、前記着脱機構部分が、互いに平行に並びあう位置で取り付けられることを特徴とする。
さらにまた本発明の請求項４に係るファイルは、前記着脱機構部分が、ロック機構によって表紙体に固定されていることを特徴とする。
さらにまた本発明の請求項５に係る綴じ具は、表紙体上部に複数取り付け可能な綴じ具であって、リング部分と、前記リング部分を支えるリング台座部分と、リング台座部分に取り付けられた着脱機構部分を備え、前記着脱機構部分は、表紙体に対して綴じ具を着脱式としていることを特徴とする。
このように本発明によれば、複数個の綴じ具２を表紙体１へ取り付け、取り外すことが出来る。
【発明の効果】
【０００７】  本発明のファイル及び綴じ具は、ルーズリーフを分けてバインダーへ綴じることができ、必要な部分だけをワンタッチで取り外しができるという利点がある。この結果、ルーズリーフを項目ごとに分けて綴じ具２でまとめ、それを表紙体１にまとめて１冊にしたうえで、必要に応じては１項目分だけでも持ち運べるようになる。
【図面の簡単な説明】
【０００８】
【図１】図１は本発明の全体組立図である。
【図２】図２は図１の中央断面図である。
【図３】図３は綴じ具の説明図である。
【図４】図４は表紙体の説明図である。
【図５】図５Ａ〜図５Ｄはロック機構の説明図である。
【発明を実施するための形態】
【０００９】  ノートとしてまとめたいルーズリーフをそれぞれの綴じ具２でまとめる。そして、綴じ具２を一つの表紙体１に横並びに取り付け、まとめることで数種類の項目のルーズリーフを一つにまとめることが出来る。また、表紙体１への綴じ具２の着脱をスムーズかつ、簡単な機構で実現している。
【実施例１】
【００１０】  図１は、本発明の全体図であり、綴じ具２と表紙体１に大きく分けられる。綴じ具のルーズリーフをまとめるための機構は既存のルーズリーフバインダーの機構を用いて製作する。図に示すようにルーズリーフの穴の数のリングが取り付けられており、このリング部分３は綴じ具２上部のレバー６を外側へ広げることによって左右に広がり、綴じ具２上部のレバー６を戻すことによってリング部分３が元に戻る仕組みになっている。このリング部分３の開閉機構を用いて１項目分のルーズリーフをまとめていく。
綴じ具２背面には図に示す表紙体１に取り付けるための着脱機構５が備わっている。これは表紙体１に対して縦にスライドさせて綴じ具の背面の着脱機構部分５と表紙体の着脱機構部分１１を合わせながら差し込むことで表紙体１に綴じ具２を取り付けられるような機構である。機構の形状は図に示すように断面が三角形の棒を綴じ具の底面に三角形の頂点が底面に対して４分の１ほどくい込むように取り付けたような形状となっている。
【実施例２】
【００１１】  表紙体１は既存のバインダーと比較して、大まかな形状は同じである。しかし、この表紙体１には綴じ具２を取り付けるためのスライド機構７が備わっている。この機構は図に示すように綴じ具の取り付け機構に対して逆の形すなわち三角柱の底面から４分の３をはめ込むことが出来るような形状となっている。この綴じ具側着脱機構部分５を表紙体１に取り付けた数に応じて取り付けることが出来る綴じ具が増えていく。取り付けることのできる綴じ具が増えることでまとめられる項目数が増えていく。【００１２】  表紙体１のスライド機構７にはそれぞれ一つずつ、綴じ具をロックするための爪９が取り付けられている。この爪は表紙体下部に取り付けられている。また、爪はバネとテコの原理を用いることで爪の後ろを押さえていない時は爪が下がり、爪の後ろを押さえている時は爪が上がるようになっている。
綴じ具にはこの爪が引っかかるための穴が空いている。表紙体側着脱機構部分１１の爪が下がり、この穴に引っかかることで綴じ具は表紙体にロックされる。また、爪が上がることでロックが解除される。【００１３】  本発明の特徴は、１項目分のルーズリーフをまとまったままワンタッチで取り出すことが出来るという点にある。この特徴によって、今まで、１項目分のルーズリーフを取り出すにはインデックスを用いて探し出し、その項目のページでファイルを開き、ファイル上下のレバーを引くことでリング部分を開き、取り出した上で別のファイルに挟んでいくという作業をしなければならなかったが、ファイルを開くことなく表紙体の必要なルーズリーフがある場所の爪を上げて綴じ具をスライドさせるだけで目的の項目のルーズリーフのみを取り出すことが出来る。
【符号の説明】
【００１４】１    表紙体
２    綴じ具
３    リング部分
４    台座部分
５    綴じ具側着脱機構部分
６    レバー
７    スライド機構
８    ロック機構
９    爪
１０  爪穴
１１  表紙体着脱機構部分
【図１】
2019155896.tif 000003
【図２】
2019155896.tif 000004
【図３】
2019155896.tif 000005
【図４】
2019155896.tif 000006
【図５】
2019155896.tif 000007
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
表紙と、裏表紙と、前記表紙と裏表紙をつなぐ背表紙とを有する表紙体（１）と
前記背表紙の上に取り付けられた複数の綴じ具（２）を有するファイルであって
前記綴じ具（２）は、
リング部分（３）と
前記リング部分（３）を支えるリング台座部分（４）と
リング台座部分（４）に取り付けられた着脱機構部分（５）を備え、
前記着脱機構部分（５）は、前記背表紙に対して前記綴じ具（２）を着脱式としており、
前記着脱機構部分（５）は、スライド機構を備え、スライド機構によってスライド式に前記背表紙に対して前記綴じ具（２）を着脱式としていることを特徴とするファイル。
【請求項２】
前記着脱機構部分（５）は、互いに平行に並びあう位置で取り付けられることを特徴とする請求項１に記載のファイル。
【請求項３】
前記着脱機構部分（５）は、ロック機構によって背表紙に固定されることを特徴とする請求項１または２に記載のファイル。
【手続補正３】
【補正対象書類名】明細書
【補正対象項目名】０００１
【補正方法】変更
【補正の内容】
【０００１】  本発明は、綴じ具を取り外し、付け替えることが可能なルーズリーフバインダーのようなファイルに関する。
【手続補正４】
【補正対象書類名】明細書
【補正対象項目名】０００６
【補正方法】変更
【補正の内容】
【０００６】  本発明の請求項１に係るファイルは、表紙と、裏表紙と、前記表紙と裏表紙をつなぐ背表紙とを有する表紙体１と前記背表紙の上に取り付けられた複数の綴じ具２を有するファイルであって、前記綴じ具は、リング部分３と、前記リング部分を支えるリング台座部分４と、リング台座部分に取り付けられた着脱機構部分５を備え、前記着脱機構部分５は、前記背表紙に対して前記綴じ具２を着脱式としており、前記着脱機構部分５は、スライド機構を備え、スライド機構によってスライド式に前記背表紙に対して前記綴じ具を着脱式としていることを特徴とする。
また本発明の請求項２に係るファイルは、前記着脱機構部分が、互いに平行に並びあう位置で取り付けられることを特徴とする。
さらに本発明の請求項３に係るファイルは、前記着脱機構部分が、ロック機構によって背表紙に固定されていることを特徴とする。
このように本発明によれば、複数個の綴じ具２を表紙体１へ取り付け、取り外すことが出来る。
【手続補正５】
【補正対象書類名】明細書
【補正対象項目名】０００７
【補正方法】変更
【補正の内容】
【０００７】  本発明のファイルは、ルーズリーフを分けてバインダーへ綴じることができ、必要な部分だけをワンタッチで取り外しができるという利点がある。この結果、ルーズリーフを項目ごとに分けて綴じ具２でまとめ、それを表紙体１にまとめて１冊にしたうえで、必要に応じては１項目分だけでも持ち運べるようになる。